(57)【要約】【課題】流れ込んだ水による旋回流が発生し易いヘアキャッチャーを提供する。【解決手段】ヘアキャッチャー１００は、水を通流させる水切り部１を有する。水切り部１は、上縁部１０から流入した水を内側から外側へ排水する複数の通流孔４、および、複数の通流孔４のうち少なくとも上縁部１０に連なる上部に設けられた通流孔４における水流の抵抗となる排水抵抗部４２を有する。【選択図】図１
2020165158.tif 000002
【特許請求の範囲】
【請求項１】
水を通流させる水切り部を有するヘアキャッチャーであって、
前記水切り部は、上縁部から流入した水を内側から外側へ排水する複数の通流孔、および、前記複数の通流孔のうち少なくとも前記上縁部に連なる上部に設けられた前記通流孔における水流の抵抗となる排水抵抗部を有することを特徴とするヘアキャッチャー。
【請求項２】
前記排水抵抗部は、前記上部から前記水切り部の底部に亘って設けられていることを特徴とする請求項１に記載のヘアキャッチャー。
【請求項３】
前記排水抵抗部は、少なくとも前記上部の全周に亘って設けられていることを特徴とする請求項１または２に記載のヘアキャッチャー。
【請求項４】
前記水切り部の外面に対して傾斜し、前記外面に沿って前記外側を流れる水を前記内側へ誘導する外部水流誘導面を備えることを特徴とする請求項１から３のいずれか１項に記載のヘアキャッチャー。
【請求項５】
上記排水抵抗部は、前記通流孔の前記内側における開口部の縁部よりも、周方向において前記通流孔の中央へ張り出すように設けられていることを特徴とする請求項１から４のいずれか１項に記載のヘアキャッチャー。
【発明の詳細な説明】
【技術分野】
【０００１】
本発明は、例えば浴室における洗い場床の排水部に配設されるヘアキャッチャーに関する。
【背景技術】
【０００２】
浴室の洗い場床や洗面台等の排水口には、髪の毛はゴミなどで排水管が詰まることを防ぐためにヘアキャッチャーが設けられている。例えば、特許文献１には、複数の開口を有し、流入した水の一部を外側へ排水する排水部が形成された本体部を備えるヘアキャチャーが開示されている。排水部は、互いに隣接して環状に配置された複数の横リブを有する。上側に位置する横リブ間の間隔は、下側に位置する横リブ間の間隔よりも狭くなるよう構成されている。また、排水部は、上下方向に延び互いに隣接して設けられる複数の縦リブを有する。縦リブは、本体部の内面に沿う下方向に対して一の側へ傾斜するよう構成されている。
【先行技術文献】
【特許文献】
【０００３】
【特許文献１】特開２０１８−０５３６９６号公報
【発明の概要】
【発明が解決しようとする課題】
【０００４】
特許文献１に記載のヘアキャッチャーは、底部において髪の毛をまとめるべく、縦リブを一の側へ傾斜させて旋回流を発生させるものであるが、水が十分に底部まで流れない場合、髪の毛をまとめるための旋回流が生じ難いという問題点があった。
【０００５】
本発明は、斯かる事情に鑑みてなされたものであり、その目的とするところは、流れ込んだ水による旋回流が発生し易いヘアキャッチャーを提供することにある。
【課題を解決するための手段】
【０００６】
本発明に係るヘアキャッチャーは、水を通流させる水切り部を有するヘアキャッチャーであって、前記水切り部は、上縁部から流入した水を内側から外側へ排水する複数の通流孔、および、前記複数の通流孔のうち少なくとも前記上縁部に連なる上部に設けられた前記通流孔における水流の抵抗となる排水抵抗部を有することを特徴とする。
【発明の効果】
【０００７】
本発明によれば、流れ込んだ水による旋回流が発生し易い。
【図面の簡単な説明】
【０００８】
【図１】実施形態１に係るヘアキャッチャーの外観を示す斜視図である。
【図２】ヘアキャッチャーの側面図であり、排水部に取りついた状態を示す図である。
【図３】ヘアキャッチャーの平面図である。
【図４】ヘアキャッチャーの下方から見た斜視図である。
【図５】ヘアキャッチャーの外側に水流を形成する排水装置の例を示す模式図である。
【図６】ヘアキャッチャーにおける水の流れを説明するための模式図である。
【図７】図２に示すＡ−Ａ線による水切り部の一部を示す断面図である。
【図８】実施形態２に係るヘアキャッチャーの外観を示す斜視図である。
【図９】ヘアキャッチャーの平面図である。
【図１０】図７に示した断面に相当する水切り部の断面図である。
【図１１】図１１（ａ）〜図１１（ｃ）は変形例に係る水切り部の断面を説明するための模式図である。
【発明を実施するための形態】
【０００９】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態１）
図１、図２を参照する。ヘアキャッチャー１００は、水切り部１および立壁部５を備える。水切り部１は、上縁部１０、底部２０、リブ構造３および通流孔４を有し、椀状に形成されている。水切り部１は、例えば皿状および深皿状等に形成されていてもよく、全体として円柱状、錐台状または半球状などの様々な形状とすることができる。
【００１１】
ヘアキャッチャー１００は、図２に示すように洗い場床８に設けられた排水口８１に設置され、上方を蓋体８２で覆われる。図２に示す例では、上縁部１０に設けた係止部１０ａに排水口８１側の爪８１ａを係止させて、ヘアキャッチャー１００を取り付けている。洗い場床８からの水は、立壁部５によって規制されて水切り部１へ流れ込む。尚、図２において、洗い場床８、排水口８１および蓋体８２は断面で表されている。
【００１２】
図１に戻り、通流孔４には排水抵抗部４２が設けられている。ヘアキャッチャー１００は、排水抵抗部４２によって通流孔４からの排水が制限されることで、水切り部１の内側に流れ込んだ水がより多く底部２０へと導かれるようになっている。また、排水抵抗部４２は、水切り部１の外側は突出するように形成されており、水切り部１の外側を流れる水を内側へ引き込むように機能する。
【００１３】
上縁部１０は円環状であり、リブ構造３によって底部２０と接続される。洗い場床８からの水は上縁部１０を通って水切り部１の内側に流れ込む。底部２０は凹状であり、上下に貫通する複数の水抜き孔２１を有する。リブ構造３は、複数の縦リブ３１および複数の横リブ３２によって構成されている。縦リブ３１は、上下方向に延びて上縁部１０と底部２０とを連結しており、上縁部１０から水切り部１の中央へ向かうにつれて下降する勾配を有している。縦リブ３１の勾配は、一定であっても変化してもよい。
【００１４】
図３を参照する。縦リブ３１は、水切り部１の内面に沿う下方向に向かうにつれて、周方向の一側へ延びるように傾斜している。横リブ３２は、複数の縦リブ３１を周方向につなぐ円環状であり、底部２０側から上方へ向かうにつれて内径が大きくなる。隣り合う縦リブ３１および隣り合う横リブ３２の間に通流孔４が形成されている。
【００１５】
通流孔４は、水切り部１の内外を貫通するように設けられている。通流孔４は、水切り部１の内側における開口部４１の一部を覆うように板状の排水抵抗部４２が設けられている。排水抵抗部４２は、開口部４１の縦リブ３１における縁部４１ａよりも、周方向において通流孔４の中央へ張り出すように設けられている。また、排水抵抗部４２は、通流孔４内に臨み、外部水流を水切り部１の内側に誘導する外部水流誘導面４２ａを有する。
【００１６】
図３に示す例では、排水抵抗部４２が、上縁部１０と底部２０との間に形成される通流孔４の全てに設けられている。例えば、排水抵抗部４２は、上縁部１０に連なる上部に形成される通流孔４に設けられ、底部２０側に近い通流孔４には設けないような構成としてもよい。
【００１７】
図４を参照する。排水抵抗部４２における外部水流誘導面４２ａは、水切り部１の外面１５に対して傾斜して外面１５から突出するように形成されている。水切り部１の外側を流れる水は、外部水流誘導面４２ａに当たって水切り部１の内側へと誘導される。
【００１８】
図５を参照する。排水装置９０は、フランジ部８０を洗い場床８に設けられた孔部に上方から挿入して螺合させることで、洗い場床８の下方に取り付けられる。排水装置９０では、洗い場床８からの水は、ヘアキャッチャー１００の上側から水切り部１の内側に流れ込み、浴槽（図示略）からの排水の一部がヘアキャッチャー１００の外側に水流を形成する仕組みとなっている。ヘアキャッチャー１００は、排水口８１に設けた爪８１ａに係止させて取り付けられる。洗い場床８から水は、ヘアキャッチャー１００を通過した後、封水部９１の内部を通って排出口９５から排出される。
【００１９】
浴槽排水は、分岐部９２において排水口８１側への分岐流路９３とバイパス流路９４とに分けられて通流する。分岐流路９３へ通流した浴槽排水は、導入口９３ａから排水口８１へ流れ込み、ヘアキャッチャー１００の外側において旋回する水流を形成する。バイパス流路９４へ通流した浴槽排水は、合流口９４ａを通って洗い場床８側からの排水に合流し、排出口９５から排出される。
【００２０】
図１に戻り、立壁部５は、上縁部１０から立ち上がるように円弧状に形成されており、２つの回転対象な第１立壁部５０および第２立壁部５５で構成されている。第１立壁部５０の導入端部５１および第２立壁部の終端部５７は、間隔を空けて対向しており、両者間に洗い場床８からの導水路が形成される。同様に、第２立壁部５５の導入端部５６および第１立壁部の終端部５２は、間隔を空けて対向しており、両者の間に洗い場床８からの導水路が形成される。
【００２１】
導入端部５１および５６は、それぞれ１の縦リブ３１に沿って水切り部１の内側へ延びるように設けられている（図３参照）。上述のように、縦リブ３１が水切り部１の内面に沿う下方向に向かうにつれて周方向の一側へ延びるように傾斜しているため、導入端部５１および５６も、水切り部１の内面に沿う下方向に向かうにつれて周方向の一側へ延びるように傾斜している。図１などに示すヘアキャッチャー１００では旋回流をより確実に形成させるべく立壁部５を設けているが、立壁部５を設けない場合であっても、縦リブ３１および通流孔４の排水抵抗部４２によって旋回流を発生させることができる。
【００２２】
次にヘアキャッチャー１００の動作について説明する。図６を参照する。図６はヘアキャッチャー１００の平面図に相当している。水切り部１に対して、立壁部５やその他の手段によって旋回方向Ｘの旋回流がヘアキャッチャー１００に流れ込む。上縁部１０から水切り部１の上部に流れ込んだ水は、縦リブ３１に沿ってヘアキャッチャー１００の内側を流下し、図６に矢印で示すように旋回流を発生する。水切り部１の内側を流下する水は、その一部が図６に矢印Ｐ１で示すように通流孔４を通して水切り部１の外側に排水される。水切り部１では、旋回流の旋回方向Ｘに対して、縦リブ３１、通流孔４の孔部分、排水抵抗部４２の順に並んでいる。排水抵抗部４２の外部水流誘導面４２ａは、旋回流に対向し、上り勾配となっている。このため、排水抵抗部４２の外部水流誘導面４２ａの面上を通過する水流が水切り部１の内側に戻される効果がある。水切り部１の内側を流下する水は、通流孔４に設けられた排水抵抗部４２によって排水が制限されるため、矢印Ｐ２で示すように水切り部１の内側に留まって流下することで、旋回流が発生し易くなる。
【００２３】
排水抵抗部４２は、縦リブ３１における縁部４１ａに対して、周方向に通流孔４の中央へ張り出すように設けられている。排水抵抗部４２が設けられていることで、縦リブ３１に沿って流れる水と、縦リブ３１の周方向における側方であって通流孔４における排水抵抗部４２上を流れる水の一部とが水切り部１の内側に留まり、より多くの水を底部２０へ到達させることができる。
【００２４】
また排水抵抗部４２は、通流孔４の開口部４１のうち、水が流れ込む方向の先にある縦リブ３１における縁部４１ａの側において、周方向に通流孔４の中央へ張り出すように設けられている。図６に示すヘアキャッチャー１００では、時計回りに水が流れ込んでおり、開口部４１の中央から見て時計回りの先にある縦リブ３１における縁部４１ａの側に排水抵抗部４２が形成されている。これにより、水切り部１の内側を流下する水が排水抵抗部４２に当たって水切り部１の内側に戻され易くなる。
【００２５】
排水抵抗部４２は、少なくとも水切り部１の上部に位置する通流孔４に設けることで、下方への水の到達を促進することができる。また、水切り部１の上部から底部２０に亘って通流孔４に排水抵抗部４２を設けることで、より多くの水を水切り部１の底部２０へ到達させることができる。
【００２６】
排水抵抗部４２は、水切り部１の上部において全周に亘って通流孔４に設けられていることで、流量が大きい場合でも旋回流をより確実に発生させることができる。また、立壁部５が設けられていない場合、上縁部１０の水切り部１の上部において全周に亘って通流孔４に排水抵抗部４２を設けることで、上縁部１０における全周のどの箇所から水が流れ込んできても、底部２０への水の到達を促進することができる。
【００２７】
立壁部５は、導入端部５１および終端部５７の間の導入路、並びに、導入端部５６および終端部５２の間の導入路を通して、洗い場床８からの水を水切り部１の内側へ導入する。導入端部５１および５６は、水切り部１の内面に沿う下方向に向かうにつれて周方向の一側へ延びるように傾斜していることで、旋回流の発生を促進する。
【００２８】
ヘアキャッチャー１００は、水切り部１の内側において旋回流がより発生し易くなることで、髪の毛等を底部２０にまとめる効果が高まり、清掃が容易になる。水切り部１の底部２０には、水抜き孔２１が設けられており、底部２０において水が溜まることなく排水される。
【００２９】
図７を参照する。排水抵抗部４２の外部水流誘導面４２ａは、縦リブ３１における開口部４１の縁部４１ａから、水切り部１の外面１５に対して傾斜して、水切り部１４の外側へ延びている。外部水流誘導面４２ａは、水切り部１の内側から外側に向かうにつれて外部水流の上流側へ延びるように傾斜する面として形成されている。図７に矢印で示すように、水切り部１の外側を流れる外部水流は、排水抵抗部４２の外部水流誘導面４２ａに当たって向きを変え、通流孔４を通って水切り部１の外側から内側へ流れ込む。
【００３０】
水切り部１においては、内側から通流孔４を通して外側へ流れる水に髪の毛が混ざり、通流孔４付近の縦リブ３１や横リブ３２等に付着する可能性がある。外部水流が通流孔４を通って水切り部１の外側から内側へ引き込まれ、水切り部１における縦リブ３１や横リブ３２等に付着した髪の毛を浮かし、水切り部１の底部２０へと流下させることができる。
【００３１】
（実施形態２）
図８、図９を参照する。実施形態２に係る水切り部１は、下部において底部２０、水抜き孔２１および側面部２２で構成される貯水部２を有する。水抜き孔２１は、貯水部２における側面部２２の下端部に横方向に内外を貫通するように設けられている。
【００３２】
リブ構造３は、縦リブ３１および横リブ３２を有し、上縁部１０と貯水部２とを接続する。縦リブ３１は貯水部２から上縁部１０へ放射状に延びている。立壁部５における導入端部５１と終端部５７との間において、上縁部１０から貯水部２へ延びる導水面６が形成されている。また同様に導入端部５６と終端部５２との間において、上縁部１０から貯水部２へ延びる導水面６が形成されている。導水面６は、下方向に向かうにつれて、周方向の一側へ延びるように傾斜している。尚、図８に示す水切り部１では導水面６に通流孔４を設けられていないが、疎らに通流孔４を設けるようにしてもよい。
【００３３】
立壁部５における導入端部５１および５６は、水切り部１の内側へ延びるように設けられている。導入端部５１および５６は、水切り部１の下方向に向かうにつれて、導水面６と同じ周方向の一側へ延びるように傾斜している。
【００３４】
通流孔４には、水切り部１の内側における開口部４１の一部を覆うように板状の排水抵抗部４２が形成されている。排水抵抗部４２は、開口部４１の縦リブ３１における縁部４１ａよりも、周方向において通流孔４の中央へ張り出すように設けられている。また、排水抵抗部４２は、通流孔４内に臨み、外部水流を水切り部１の内側に誘導する外部水流誘導面４２ａを有する。
【００３５】
排水抵抗部４２は、上縁部１０と貯水部２との間に形成される通流孔４の全てに設けられている。実施形態１と同様に、排水抵抗部４２は、上縁部１０に連なる上部に形成される通流孔４に設けられ、貯水部２側に近い通流孔４には設けないような構成としてもよい。
【００３６】
ヘアキャッチャー１００の上縁部１０から水切り部１の上部に流れ込んだ水は、導水面６に沿ってヘアキャッチャー１００の内側を流下し、図９に矢印で示すように旋回流を発生する。水切り部１の内側を流下する水は、その一部が図９に矢印Ｑ１で示すように通流孔４を通して水切り部１の外側に排水される。水切り部１の内側を流下する水は、通流孔４に設けられた排水抵抗部４２によって排水が制限されるため、矢印Ｑ２で示すように水切り部１の内側に留まって流下することで、旋回流が発生し易くなる。
【００３７】
排水抵抗部４２は、実施形態１と同様に、通流孔４の開口部４１のうち、水が流れ込む方向の先にある縦リブ３１における縁部４１ａの側において、周方向に通流孔４の中央へ張り出すように設けられている。このため、水切り部１の内側を流下する水が排水抵抗部４２に当たって水切り部１の内側に戻され易くなる。
【００３８】
ヘアキャッチャー１００は、水切り部１の内側において旋回流がより発生し易くなることで、髪の毛等を貯水部２にまとめる効果が高まり、清掃が容易になる。貯水部２には、水抜き孔２１が設けられている。旋回流発生時には水の一部が水抜き孔２１から抜けつつも貯水部２に水が貯まった状態となり、水の流れ込みが止んだ後、貯水部２に貯まった水が時間経過とともに水抜き孔２１から排水される。
【００３９】
図１０を参照する。排水抵抗部４２の外部水流誘導面４２ａは、縦リブ３１における開口部４１の縁部４１ａから、水切り部１の外面１５に対して傾斜する。外部水流誘導面４２ａは、水切り部１の内側から外側に向かうにつれて外部水流の上流側へ延びるように傾斜する面として形成されている。図１０に矢印で示すように、水切り部１の外側を流れる外部水流は、排水抵抗部４２の外部水流誘導面４２ａによって向きを変え、通流孔４を通って水切り部１の外側から内側へ流れ込む。外部水流が通流孔４を通って水切り部１の外側から内側へ流れることで、縦リブ３１や横リブ３２等に付着した髪の毛を浮かし、水切り部１の底部２０へと流下させることができる。
【００４０】
（変形例）
図１１（ａ）〜図１１（ｃ）を参照する。図１１（ａ）〜図１１（ｃ）では断面が表われる一部の通流孔４を示し、背景となる他の部分は省略されている。図１１（ａ）に示す変形例では、縦リブ３１における開口部４１の縁部４１ａから一段外側に穿った位置から排水抵抗部４２および外部水流誘導面４２ａが延びるように形成されている。この場合でも、排水抵抗部４２は、水切り部１の内側から外側への水流を制限することができる。また外部水流誘導面４２ａは、上述の各実施形態と同様に外部水流を水切り部１の内側へ誘導することができる。
【００４１】
図１１（ｂ）に示す変形例では、外部水流誘導面４２ａが水切り部１の外面１５から突出しないように形成されている。この場合でも、排水抵抗部４２によって、水切り部１の内側から外側への水流を制限することができる。また、外部水流誘導面４２ａによって、水切り部１の外側を流れる外部水流が水切り部１の内側へ誘導され得る。
【００４２】
図１１（ｃ）に示す変形例では、排水抵抗部４２が、縦リブ３１における開口部４１の縁部４１ａから一段外側に穿った位置から、周方向において通流孔４の中央へ張り出すように形成されている。排水抵抗部４２には、水切り部１の外面１５に対して傾斜する外部水流誘導面４２ａは形成されていない。この場合でも、排水抵抗部４２によって、水切り部１の内側から外側への水流を制限することができ、水切り部１の内側において旋回流が発生し易くなる。
【００４３】
次に、各実施形態および変形例のヘアキャッチャー１００の特徴を説明する。
本発明の各実施形態および変形例のヘアキャッチャー１００は、水を通流させる水切り部１を有する。水切り部１は、上縁部１０から流入した水を内側から外側へ排水する複数の通流孔４、および、複数の通流孔４のうち少なくとも上縁部１０に連なる上部に設けられた通流孔４における水流の抵抗となる排水抵抗部４２を有する。これにより、ヘアキャッチャー１００は、水切り部１の内側に流れ込んだ水による旋回流が発生し易くなる。
【００４４】
また、排水抵抗部４２は、水切り部１の上部から水切り部１の底部２０に亘って設けられている。これにより、ヘアキャッチャー１００は、より多くの水を水切り部１の底部２０へ到達させることができる。
【００４５】
また、排水抵抗部４２は、少なくとも水切り部１の上部の全周に亘って設けられている。これにより、ヘアキャッチャー１００は、流量が大きい場合に旋回流をより確実に発生させることができ、全周のどの箇所から水が流れ込んできても、底部２０への水の到達を促進することができる。
【００４６】
また、ヘアキャッチャー１００は、水切り部１の外面１５に対して傾斜し、外面１５に沿って外側を流れる水を内側へ誘導する外部水流誘導面４２ａを備える。これにより、ヘアキャッチャー１００は、外部水流を引き込んで水切り部１に付着した髪の毛を浮かし、水切り部１の底部２０へと流下させることができる。
【００４７】
また、排水抵抗部４２は、水切り部１の内側における通流孔４の開口部４１の縁部４１ａよりも、周方向において通流孔４の中央へ張り出すように設けられている。これにより、ヘアキャッチャー１００は、より多くの水を底部２０へ到達させることができる。
【００４８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４９】
１  水切り部、  １０  上縁部、  １５  外面、  ２０  底部、  ４  通流孔、
４１  開口部、  ４１ａ  縁部、  ４２  排水抵抗部、  ４２ａ  外部水流誘導面、
１００  ヘアキャッチャー。
【図１】
2020165158.tif 000003
【図２】
2020165158.tif 000004
【図３】
2020165158.tif 000005
【図４】
2020165158.tif 000006
【図５】
2020165158.tif 000007
【図６】
2020165158.tif 000008
【図７】
2020165158.tif 000009
【図８】
2020165158.tif 000010
【図９】
2020165158.tif 000011
【図１０】
2020165158.tif 000012
【図１１】
2020165158.tif 000013